(57)【要約】【課題】操作性を落とすことなく、装置の薄型化を図ることのできる浴室用赤外線リモコン装置を提供する。【解決手段】赤外線透過窓と操作部とを設けた前面パネルと、その前面パネルの裏面側に重ねて配置される回路基板を収納させたボディとを備え、浴室の壁面に設置されるようにした浴室用赤外線リモコン装置において、回路基板の裏面に赤外線ランプを設け、かつ、回路基板よりもボディの内奥側には、赤外線ランプからの照射光を赤外線透過窓側に反射させるリフレクタを設けた構造にしている。【選択図】図１
2006141876.tif 000002
【特許請求の範囲】
【請求項１】
赤外線透過窓と操作部とを設けた前面パネルと、操作部に対応した回路基板を収納し、上記前面パネルの裏面側に配置されるボディとを少なくとも備え、浴室の壁面に設置されるようにした浴室用赤外線リモコン装置において、
上記回路基板の裏面に赤外線ランプを設け、かつ、上記回路基板よりもボディの内奥側には、上記赤外線ランプからの照射光を上記赤外線透過窓側に反射させるリフレクタを設けた構造にしている浴室用赤外線リモコン装置。
【請求項２】
赤外線透過窓と操作部とを設けた前面パネルと、操作部に対応した回路基板を収納し、上記前面パネルの裏面側に配置されるボディとを少なくとも備え、浴室の壁面に設置されるようにした浴室用赤外線リモコン装置において、
上記回路基板は、上記赤外線透過窓側に向けて赤外線ランプを実装した発光部回路基板と、スイッチの電極部などを含む回路部品を実装した主回路基板とで構成し、上記発光部回路基板を上記ボディの内奥側に後退させて配設している浴室用赤外線リモコン装置。
【請求項３】
請求項２において、
上記発光回路部には、複数の赤外線ランプの光軸を互いに異なる向きに傾けて実装されている浴室用赤外線リモコン装置。
【請求項４】
請求項１〜３のいずれにおいて、
上記浴室用赤外線リモコン装置は、操作スイッチを設けた操作部を中央に設け、その左右に密閉型スピーカを分離して配置した構造にしているバスサウンド装置である浴室用赤外線リモコン装置。
【発明の詳細な説明】
【技術分野】
【０００１】
本発明は、浴室用赤外線リモコン装置の改良に関する。
【背景技術】
【０００２】
近時、浴室内の壁面などに浴室用赤外線リモコン装置を設置し、脱衣室内の適所にテレビ装置やステレオ装置を設置して、浴室内に居ながらにしてこれらをリモコン操作して、テレビや音楽を楽しんだりするシステム機器が開発されている。
【特許文献１】特開２００４−１７３９２１号公報
【発明の開示】
【発明が解決しようとする課題】
【０００３】
しかしながら、このようなシステム機器では、リモコン装置が浴室内という限られた空間スペースに設置されるため、リモコン装置の薄型化に加えて、操作性を低下させないことが望まれる。
【０００４】
本発明はこのような事情を考慮して提案されるものであり、操作性を落とすことなく、リモコン装置の薄型化を図ることのできる浴室用赤外線リモコン装置を提供することを目的とする。
【課題を解決するための手段】
【０００５】
上記目的を達成するために、本発明の請求項１では、赤外線透過窓と操作部とを設けた前面パネルと、その前面パネルの裏面側に重ねて配置される回路基板を収納させたボディとを備え、浴室の壁面に設置されるようにした浴室用赤外線リモコン装置において、回路基板の裏面に赤外線ランプを設け、かつ、回路基板よりもボディの内奥側には、赤外線ランプからの照射光を赤外線透過窓側に反射させるリフレクタを設けた構造にしている。
【０００６】
請求項２では、赤外線透過窓と操作部とを設けた前面パネルと、その前面パネルの裏面側に重ねて配置される回路基板を収納させたボディとを備え、浴室の壁面に設置されるようにした浴室用赤外線リモコン装置において、回路基板は、赤外線透過窓側に向けて赤外線ランプを実装した発光部回路基板と、スイッチの電極部などの回路部品を実装した主回路基板とで構成し、発光部回路基板をボディの内奥側に後退させて配設している。
【０００７】
請求項３では、発光回路部には、複数の赤外線ランプの光軸を互いに異なる向きに傾けて実装されている。
【０００８】
請求項４では、浴室用赤外線リモコン装置は、操作スイッチを設けた操作部を中央に設け、その左右に密閉型スピーカを分離して配置した構造にしているバスサウンド装置である。
【発明の効果】
【０００９】
本発明の請求項１によれば、回路基板の裏面に赤外線ランプを設け、かつ、回路基板よりもボディの内奥側には、赤外線ランプからの照射光を赤外線透過窓側に反射させるリフレクタを設けた構造にしている。従って、ボディ内に内装される回路基板上に赤外線ランプを実装するものに比べて、回路基板とボディ内面との空間部に赤外線ランプと、リフレクタを収納するので、その空間部分を有効利用でき、装置全体の薄型化を図ることができる。
【００１０】
請求項２によれば、回路基板は、前面パネルの赤外線照射窓側に向けて赤外線ランプを実装した発光部回路基板を、ボディの内奥側に後退させて配設しているので、発光回路基板と、主回路基板との上下に２段構成に配置できる。
【００１１】
したがって、ボディ内に内装される回路基板上に赤外線ランプを実装する構造のものと比べて、赤外線ランプをボディ内の内奥に引っ込ませた状態で実装できるため、ボディの厚みを薄くして、装置全体の薄型化を図ることができる。
【００１２】
また、請求項３によれば、発光回路部には、複数の赤外線ランプの光軸を互いに異なる向きに傾けて実装しているので、赤外線ランプが双方折れ曲がった状態になり、ボディをより一層薄型化できる。
【００１３】
請求項４によれば、操作部を中央に設け、その左右に密閉型スピーカを分離して配置しているので、本装置を浴室に設置しても、出力される音声が干渉せず、一体感があり意匠性を損なうことがない。
【発明を実施するための最良の形態】
【００１４】
以下に、本発明の実施の形態について説明する。なお、本実施形態では、赤外線ランプの一例として赤外線ＬＥＤランプを用いているが、この例には限られず、赤外線を出力するような部材であれば、どのような部材を用いても良い。
【実施例１】
【００１５】
図３は、本発明装置の外観構成図を示している。図４は、この装置の分解斜視図を示している。これらの図では、本発明装置Ａは、バスサウンドユニットに適用されている。
バスサウンドユニットＡは、赤外線透過窓Ｗと操作部１１とを設けた前面パネル１と、その前面パネル１の裏面側に、カバーＣを介して、重ねて配置されるボディ２とを備え、浴室の壁面などに埋設あるいはネジ止めされる構造になっており、前面パネル１には、操作スイッチＳＷ（後述）を設けた操作部１１を中央に設け、その左右に密閉型スピーカＳＰを分離して配置している。なお、１７は、前面パネル１に設けられ、密閉型スピーカＳＰを露出させるスピーカ露出窓である。
【００１６】
図１は、本発明装置の要部をなす回路基板の構造の一例を示す図である。
【００１７】
この図に示したものでは、回路基板Ｂは、スイッチＳＷの電極部Ｂ２１などを実装した主回路基板Ｂ２の中央部に、赤外線ＬＥＤランプＬをボディ２の内奥に向けて実装し、その更に内奥には、赤外線ＬＥＤランプＬからの照射光を反射させる湾曲形状のリフレクタＲを設け、レフレクタＲからの反射光は、主回路基板Ｂ２の赤外線ＬＥＤランプＬの周囲に形成した切欠部Ｂ３より、前面パネル１に設けた赤外線透過窓Ｗに向けて反射させている。
【００１８】
また、前面パネル１の適所には、赤外線透過窓Ｗが構成されており、この赤外線透過窓Ｗは、前面パネル１のうち、赤外線ＬＥＤランプＬからの赤外線が照射される範囲に切欠部１２を形成し、その切欠部１２に透光性板１３を嵌め込んで構成されている。なお、発光部回路基板Ｂ１と主回路基板Ｂ２とは配線ｌによって電気的に接続されている。
【００１９】
このような構造では、回路基板Ｂは、発光部回路基板Ｂ１と主回路基板Ｂ２とを同一の回路基板上に構成できるので、回路基板Ｂの配線、実装は容易となり、操作部１１に設けたスイッチＳＷの操作性を損なうことなく、赤外線透過窓Ｗが前方に突出しないようにして、装置全体Ａの厚みの薄型化が図れる。
【００２０】
図２は、同時に提案される本発明装置の構造的特徴を示すものである。
【００２１】
この図に示す回路基板Ｂは、赤外線透過窓Ｗ側に向けて赤外線ＬＥＤランプＬ１，Ｌ２を実装した発光部回路基板Ｂ１、スイッチＳＷの電極部Ｂ２１などの回路部品を実装した主回路基板Ｂ２とで構成され、発光部回路基板Ｂ１は、主回路基板Ｂ２の中央部を刳り貫き、ボディ２の内奥側に後退させて配設されており、発光部回路基板Ｂ１と主回路基板Ｂ２とは配線ｌで接続されている。なお、Ｂ４は、主回路基板Ｂ２をボディ２内で支持するための支柱である。
【００２２】
また、カバーＣには、スピーカＳＰを前面パネル１のスピーカ露出窓から露出するための開口１４と、操作スイッチＳＷの押圧を対応した主回路基板Ｂ２の電極部Ｂ２１に伝達するスイッチ操作伝達板１５と、赤外線を通過させる赤外線通過孔１６とが形成されている。
【００２３】
前面パネル１の適所には、赤外線通過孔１６に対応させて、赤外線透過窓Ｗが構成されており、この赤外線透過窓Ｗは、前面パネル１のうち、赤外線ＬＥＤランプＬ１，Ｌ２からの赤外線の照射範囲に切欠部１２を形成し、その切欠部１２に透光性板１３を嵌め込んで構成されている。
【００２４】
また、赤外線ＬＥＤランプＬ１，Ｌ２は、それぞれの光軸が交差するように互い異なる向きに傾けて実装されており、これにより、ＬＥＤランプの実装時の高さを低くして、赤外線の届く範囲を広くしている。
【００２５】
このような構造によって、操作部１１に設けたスイッチＳＷの操作性を損なうことなく、赤外線透過窓Ｗが前方に突出しないようにして、装置全体Ａの厚みの薄型化を図っている。
図５は、本発明をバスサウンドユニットに適用した場合のシステムの使用態様を説明する図（概略システム系統図）である。
【００２６】
このシステムは、浴室内にバスサウンドユニットＡを設置し、浴室天井などに電源ユニットＵを設置し、脱衣室や居間などの浴室外には、リモコン受信部Ｓａを有したオーディオ機器Ｓ（ステレオスピーカを備えたテレビなど）を設置して構成されており、浴室内でバスサウンドユニットＡの操作部１１に設けたスイッチＳＷを操作すると、赤外線が窓ガラスＧを透過して脱衣室や居間などに設置されたオーディオ機器Ｓに到達し、
オーディオ機器Ｓをリモコン操作するようになっている。
【００２７】
バスサウンドユニットＡと電源ユニットＵとは電源線ＬＡ，オーディオ線ＬＢで接続されており、バスサウンドユニットＡは、電源線ＬＡを通じて電源ユニットＵから電源の供給を受け、電源ユニットＵを通じてオーディオ機器Ｓからの音声が供給されるようになっている。つまり、電源ユニットＵは、電源の供給と音声の中継を行っている。
【００２８】
このような構成によれば、バスサウンドユニットＡの操作部１１を操作すると、赤外線がオーディオ機器Ｓに到達され、これを受け、オーディオ機器Ｓが指示された処理を行い、音声はオーディオ機器Ｓから電源ユニット２を通じてバスサウンドユニットＡに送られて、スピーカＳＰから出力される。
【００２９】
また、バスサウンドユニットＡにはスピーカＳＰのみを設けて、音声のみを出力する構成にすれば、オーディオ機器Ｓをテレビ装置としたときの映像もガラスＧ越しに見ることができ、バスサウンドユニットＡのコンパクト化を図るとともに、意匠性が向上する。
【図面の簡単な説明】
【００３０】
【図１】本発明装置の回路基板の構造の一例を示す縦断面図
【図２】本発明装置の回路基板の取付構造の他例を示す縦断面図
【図３】本発明の適用されたバスサウンドユニットの外観構成図
【図４】バスサウンドユニットの分解斜視図
【図５】バスサウンドユニットの使用態様図（概略システム系統図）
【符号の説明】
【００３１】
Ａ  赤外線リモコン装置（バスサウンドユニット）
Ｂ  回路基板
Ｂ１  発光部回路基板
Ｂ２  主回路基板
１  前面パネル
Ｂ２１  スイッチ電極
Ｌ，Ｌ１、Ｌ２  赤外線ランプ
２  ボディ
Ｗ  赤外線射出窓
Ｒ  リフレクタ
１１  操作部
【図１】
2006141876.tif 000003
【図２】
2006141876.tif 000004
【図３】
2006141876.tif 000005
【図４】
2006141876.tif 000006
【図５】
2006141876.tif 000007